(57)【特許請求の範囲】
【請求項１】
コンピュータのモニタを水平面上の様々な距離に支持できるスタンドを形成するための、複数のスタンド形成部材において、
外周部、前記モニタを支持するための上部支持面、および該上部支持面の反対側の底面を有する上部壁と、該外周部に沿って広がる周囲壁とを備える上部部材であって、該周囲壁が、該上部壁の該外周部に連結される上縁部を有して、該上部支持面に対しほぼ直角に該底面から突出し、かつ該上縁部および該上部支持面の双方の反対側に位置する末端面を有して構成される上部部材と、
前記水平面上に支持されるための支持底面と、該支持底面の反対側の上面とを備える基部部材であって、該上面に、前記上部部材の前記周囲壁の前記末端面を支持できる基部部材と、
任意選択可能なほぼＵ形の中間部材と、
任意選択可能な引出し部材とを具備し、
前記中間部材は、対向して離間配置された長形かつほぼ平行な、前端および後端を有する両側部と、それら側部の後端の間の長形の後部とを有し、該後部および該側部に該中間部材の下面が形成され、該下面の反対側に該中間部材の上面が形成され、該下面が、前記上部部材の前記周囲壁の前記末端面に代えて、前記基部部材の前記上面に支持されることができるとともに、該上面が、前記上部部材の前記周囲壁の前記末端面を支持でき、
前記引出し部材は、前記中間部材の前記両側部の間に、それら側部の前記前端の間に延在するようにして配置できる前部パネルを有し、
前記引出し部材を前記中間部材に対し、前記引出し部材が前記両側部の間に存在して前記前部パネルがそれら側部の前記前端の間に延在する閉位置と、前記引出し部材の大部分がそれら側部の前記前端を越えて突出する開位置との間で、移動可能に支持する手段が、前記中間部材および前記引出し部材に設けられていること、
を特徴とする複数のスタンド形成部材。
【請求項２】
保管スタンドを形成するための、複数のスタンド形成部材において、
外周部、上面および該上面の反対側の底面を有する上部壁と、該外周部に沿って広がる周囲壁とを備える上部部材であって、該周囲壁が、該上部壁の該外周部に連結される上縁部を有して、該上面に対しほぼ直角に該底面から突出し、かつ該上縁部および該上面の双方の反対側に位置する末端面を有して構成される上部部材と、
対向して離間配置された長形かつほぼ平行な、前端および後端を有する両側部と、それら側部の後端の間の長形の後部とを各々に有するほぼＵ形の複数の中間部材であって、下面と、該下面の反対側で、前記上部部材の前記周囲壁の前記末端面を支持できる上面とを各々に有する複数の中間部材と、
前記複数の中間部材に個々に関連して設けられる複数の引出し部材であって、前記複数の中間部材のそれぞれの前記両側部の間に個々に配置され、それら側部の前記前端の間に延在する前部パネルを各々に有する複数の引出し部材と、
前記複数の中間部材および前記複数の引出し部材に設けられ、前記複数の引出し部材の各々を前記複数の中間部材の各々に対し、前記引出し部材が前記両側部の間に存在して前記前部パネルがそれら側部の前記前端の間に延在する閉位置と、前記引出し部材の大部分がそれら側部の前記前端を越えて突出する開位置との間で移動可能に支持する手段と、
水平面上に支持されるための支持底面と、該支持底面の反対側の上面とを備える基部部材であって、該上面に、前記複数の中間部材のうちいずれか１つの中間部材の前記下面を支持する基部部材とを具備し、
前記複数の中間部材の各々の前記上面が、前記上部部材の前記末端面と他の１つの前記中間部材の前記下面とのいずれか一方を支持し、前記複数の中間部材の各々の前記下面が、前記基部部材の前記上面と他の１つの前記中間部材の前記上面とのいずれか一方に支持されること、
を特徴とする複数のスタンド形成部材。
【請求項３】
前記複数の引出し部材の各々は、前記閉位置において前記複数の中間部材の各々の前記両側部に沿って配置される対向する側壁を有し、
前記複数の引出し部材の各々を前記複数の中間部材の各々の上に前記閉位置と前記開位置との間で移動可能に支持する前記手段は、前記中間部材の各々に形成され、前記中間部材の前記上面に隣接する上面を有して、前記両側部から互いに接近する方向へ突出する一対の対向する平行なレールと、前記引出し部材の各々に形成され、前記側壁の各々に離間配置で外側に突設され、該レールの各々の該上面に摺動自在に支持される各一対のタブとを具備し、
前記複数の引出し部材の各々の前記側壁の各々に離間配置で突設された前記一対のタブが、前記前部パネルに隣接する前部タブと、前記前部パネルの反対側で前記側壁の端部に隣接する後部タブとを備え、それら前部タブおよび後部タブが前記側壁の各々の上縁部に沿って存在し、
前記中間部材は、前記レールを突設した前記側部の前記前端に隣接して、前記レールの各々の前記上面に突設されるストッパを備え、前記引出し部材が前記開位置に移動することにより、前記前部タブが移動して前記レールから離れるとともに、前記後部タブが前記レールに沿って移動して前記ストッパに係合することにより、前記引出し部材の前記開位置が画定される、請求項２に記載の複数のスタンド形成部材。
【請求項４】
前記複数の引出し部材の各々が水平な底壁を備え、該底壁が、前記前部パネルに隣接して貫通開口部を有し、前記引出し部材の各々が前記開位置にあるときに、該貫通開口部から人の指を挿入して物体を該底壁から持ち上げることができるようになっている、請求項２または３に記載の複数のスタンド形成部材。
【請求項５】
前記複数の中間部材の各々は、前記両側部および前記後部の各々に沿って長手方向に延在する両縁部を有するとともに該中間部材の前記上面を形成する上部壁と、該上部壁の長手方向に延在する該両縁部に沿って対向配置される内面を有するとともに該中間部材の該上面に対してほぼ直角に、該上部壁の、該上面の反対側から突出する両側壁とを備え、
前記基部部材は、該基部部材の前記上面から上方へ突出し、かつ前記中間部材の各々の前記両側部および前記後部に沿った前記側壁の対向内面の両方に沿って配置される複数の要素であって、前記中間部材を該基部部材の該上面に沿って正確に配置するための複数の要素を備える、請求項２〜４のいずれか１項に記載の複数のスタンド形成部材。
【発明の詳細な説明】
技術分野
本発明は、様々な構成で組み立ててスタンドを形成するのに適するスタンド形成部材に関する。
発明の開示
本発明は、様々な構成で組み立てて（１）コンピュータのモニタを水平面上の選択した距離に支持するようになっているスタンドを形成するか、および／または（２）内部に品目を保管できる複数の引出しを有する保管スタンドを形成するのに適する複数のスタンド形成部材を提供する。
本発明に基づくスタンド形成部材は、（１）モニタを支持するのに適応させることができ、底面から突出する周囲壁を有する上部壁を備える上部部材と、（２）各々対向する上部および下面を有する少なくとも１つ、可能なら２つまたは３つ以上のほぼＵ形の中間部材であって、その上面が、上部部材の周囲壁または他の１つの中間部材の下面を支持するようになっている中間部材と、（３）ほぼＵ形の中間部材の離間配置された側部の間の閉位置に配置するようになっている各々の中間部材の引出し部材であって、側部と引出し部材に、引出し部材が閉位置と開位置との間で移動することを可能にする手段が設けられる引出し部材と、（４）水平面上に支持され、一番下の１つの中間部材の下面を支持するか、または中間部材を使用しない場合は、上部部材の周囲壁を支持するようになっている基部部材とを備える。中間部材および上部部材は各々、予め決められた、たとえば約1.5inなどの高さを有する。したがって、ユーザは、適切な数の中間部材を使用するか、または中間部材を使用せずに、予め決められた高さの倍数の選択した高さで水平面上にコンピュータのモニタを支持するようになっているスタンドをこれらの部材から形成することができる。各々約1.5inの高さの４つのこうした中間部材および１つの上部部材を使用すると、7.5in以下のスタンドを組み立てて、1.5in〜7.5inの範囲で1.5inの増分で高さを調節することができる。この範囲の高さは、最も背が高い男性の約５％および最も背が低い女性の約５％を除いて、男性と女性の全員に適すると考えられる。
このスタンド部材を使用してコンピュータのモニタを支持する場合、上部部材の周囲壁の高さは、上部部材を支持するほぼＵ形の中間部材の開放側部を横断して橋絡する周囲壁の部分に十分なビーム強度を与えるため、約1.5inであることが好ましい。また、上部部材の上部壁は、その上面に沿って突出し、かつモニタを支持するようになっているその上部支持面部分を画成するほぼ同心の弧状リブを有し、上部部材の下面を部分的に画成する複数の交差する長形リブを有し、周囲壁と、弧状リブと、長形リブとが、80lbまでの重量を有する、コンピュータのモニタを支持するのに必要な構造上の強度を上部壁に与えることが好ましい。
また、引出し部材を中間部材上に支持して閉位置と開位置との間で移動するようにする手段は、各中間部材に含まれた対向する一対の平行なレールと、レールの上面に摺動自在に支持された引出し部材の各対向側部から外側に突出し、離間配置された２つのタブとを備えることが好ましい。中間部材は、各レールの上面に沿って、かつこの上面から突出するストッパを備え、引出し部材がその開位置に移動することによって、これらのタブの前部の対が移動してレールから離れ、これらのタブの後部の対がレールに沿って移動してストッパに係合して、引出し部材の開位置を画定する。
【図面の簡単な説明】
本発明について、添付の図面を参照してさらに説明する。図中、類似の参照符号は、いくつかの図の類似部品を指す。
図１は、本発明に基づくスタンド部材から組み立てた、コンピュータのモニタを支持するようになっているスタンドの第１構成の斜視図であり、スタンドは、特定の部材を分離して詳細を示すように示されている。
図２は、図１に示したスタンドの上部部材の拡大底部図である。
図３は、図１の線３−３にほぼ沿って切った拡大部分図である。
図４は、図１に示したスタンドに含まれる２つのＵ形中間部材の１つの拡大上部図である。
図５は、図４の中間部材の拡大底部図である。
図６は、図４の線６−６にほぼ沿って切った拡大断面図である。
図７は、図１に示したスタンドに含まれる２つの引出し部材の１つの拡大斜視図である。
図８は、図１に示したスタンドに含まれる基部部材の拡大斜視図である。
図９は、本発明に基づくスタンド部材から組み立てた、コンピュータのモニタを支持するようになっているスタンドの第２構成の斜視図である。
図10は、本発明に基づくスタンド部材から組み立てた、コンピュータのモニタを支持するようになっているスタンドの第３構成の斜視図である。
発明を実施するための最良の形態
図面を参照すると、ポリマー材料、たとえば耐衝撃性ポリスチレンから成形された本発明に基づく複数のスタンド形成部材が示されている。これらのスタンド形成部材は、上部部材10と、Ｕ形中間部材12と、引出し部材14と、基部部材16とを備え、異なる構成で組み立てて、コンピュータのモニタを水平面上の異なる距離に支持するか、および／または物品を保管することが可能な複数の引出し部材14を有する保管スタンドを形成するようになっている。こうした構成としては、１つの上部部材10と、２つの中間部材12と、２つの引出し部材14と、１つの基部部材16とから成る図１に示すスタンド、１つの上部部材10と、１つの中間部材12と、１つの引出し部材14と、１つの基部部材16とから成る図９に示すスタンド、および１つの上部部材10と、３つの中間部材12と、３つの引出し部材14と、１つの基部部材16とから成る図10に示すスタンドがあるが、これらだけに限らない。
上部部材10は、ほぼ矩形の上部壁18（たとえば幅約13in×奥行き13.5in）を備え、この上部壁18は、その４つの隅に半円筒状の外側に突出する厚肉部と、モニタを支持するようになっている上部支持面20と、上部支持面２０の反対側の底面21と、上部壁18の外周部周囲の周囲壁22とを有する。周囲壁22は、上部壁18の外周部に連結する上縁部を有し、支持面20に対してほぼ直角に底面21から突出し、上縁部および支持面20の双方の反対側に位置する末端面24を有する。
ほぼＵ形の中間部材12は、上部部材10の支持面20に平行な面で見て使用した場合にＵ形であり、各々、対向して離間配置されて長形かつほぼ平行であるとともに、前端３１および後端３２を含む側部30と、側部30の後端32の間の長形の後部34とを有する。中間部材12は、平らな中央部37およびその外周部周囲の凹設された部分39を有する上部部分を有する上部壁を有し、補強リブ33を越えて上面38の反対側に上部壁の側部から突出して離間配置されて、中間部材12の下面３６を形成する遠位の表面を有する側壁35を有する。上面の凹設された部分39は、（１）上部部材10の周囲壁22上の末端面24、または（２）他の１つの中間部材12の下面36の何れかを支持するようになっている。
引出し部材14は、その閉位置において、ほぼＵ形の中間部材12の側部30の間にあり、閉位置において、これらの側部30の前端31の間に延在して、これらの前端31に接触する前部パネル40を有する。パネル40上の突出した湾曲引出しプルストリップは、引出し部材14に手で係合することを容易にする。ほぼＵ形の中間部材12の側部30上で平行に対向して内側に突出するレール42と、引出し部材14の上縁部から外側に突出するタブ44とは、引出し部材14の閉位置と、前部パネル40および引き出し部材14の大部分が側部30の前端31を越えて突出する開位置との間で動くときに、引出し部材14を中間部材12上に支持するために備えられている。
基部部材16は、水平面、たとえば卓上に支持するようになっている支持底面50と、一番下の中間部材12の下面36または上部部材10の周囲壁22上の末端面24の何れかを支持するのに適し、支持底面50の反対側の上面52とを有する。離間配置された４つの矩形貫通開口部53は、基部部材16を容易に成形するために、基部部材16に形成されている。
上部部材10は、重量が約80lbの21inモニターなど、コンピュータのモニタを支持するのに必要な強度を与えるいくつかの構造上の外観を有する。上部部材10上の周囲壁22の高さは、0.110inなど、比較的薄い場合にも、上部部材10を支持するＵ形中間部材の開放側部を横断して橋絡する周囲壁22の部分の、モニタの重量下における撓みに抵抗するのに十分なビーム強度を提供するために約1.5inである。また、上部部材10の上部壁18は、半円形の断面がその上面に沿って上方に突出し、上にモニタを支持するようになっているその上部支持面20の部分を画成するほぼ同心の弧状リブ54の２つの配列を有する。上部壁18は、その底部表面20を部分的に画成する複数の交差長形リブ56（たとえば、厚さ0.08inおよび高さ0.6in）をさらに有し、これらのリブ56は、弧状リブ54の配列間などの様々な位置で交差し、上部壁18の平面部分に強度を加える。
上部、中間および基部部材10、12および16は、互いに正確に垂直に整列配置させて維持され、中間部材12の側部30が正確に離間配置され、その間に引出し部材14を収容するように互いに係合するようになっている。中間部材12の側壁35は、その下面36に隣接する対向内面66を有する。基部部材16は、その上面52上に突出して、中間部材12の両方の側部30の両方の対向内面66と後部34とに沿って配置される長形ラグ67を有するので、これらの部分30および34を基部部材16の上面52に沿って正確に配置することができる。また、長形の側部30および後部34は、中間部材12のために上面38の凹設された表面部分39と中央表面部分との間に垂直面71を有する。これらの垂直面71は、（１）上部部材10上の周囲壁22の内面に沿って、または（２）他の１つの中間部材12の側部３０および後部３４の側壁35の対向内面66に沿って密接に配置するのに適応する。
スタンドは、図９に示すように１つの中間部材12、図１に示すように２つの中間部材12、または図10に示すように３つの中間部材12など、様々な数の中間部材12を使用して組み立てることができる。これ以上の中間部材12を使用しても良いし、中間部材をまったく使用せずに、上部部材10を基部部材16上に直接支持しても良い。一例として、中間部材12の上面３８及び下面３６間の高さは約1.5inにして、上部部材10の上面20とその末端面24との間の高さも約1.5inにすると、これらの部材10および12を使用して、基部部材16の支持面50と上部部材10の上面20との間の高さが、1.5inの増分で異なるスタンドを組み立てることができる。
引出し部材14は、その対向側壁68が、引出し部材14の閉位置において中間部材12の側部30に沿って配置される。引出し部材14を中間部材12上に支持して、その閉位置と開位置との間で移動するようにする手段は、中間部材12に含まれ、その側部30から上面38の凹設された部分39付近まで互いの方向に突出し、上面38に隣接する上面を有する、対向する平行な一対のレール42と、引出し部材16の対向側壁各々の上縁部から外側に突出して離間配置され、レール42の上面上に摺動自在に支持される２つのタブ44とから成る。タブ44の各々の対は、引出し部材14の前部パネル40に隣接する前部タブ70と、反対側の端部に隣接する後部タブ72とを含む。中間部材12は、レール42が突出する側部30の前端31に隣接するレール42各々の上面に沿って、かつこの表面上に突出するストッパ74を有する。引出し部材14がその開位置に向かって移動すると、２つの前部タブ70が移動してレール42から離れ、２つの後部タブ72がレール42に沿って移動してストッパ74に係合して、引出し部材14の開位置を画定する。引出し部材14の側壁68は、中間部材12の凹設された上面部分39と下面36との間の高さよりわずかに低くなっており、これらの間で移動することができる。引出し部材14の水平底壁76は8.5×11inの紙またはＡ10サイズの紙をその上に平らに置くことができるサイズである。底壁76は、前部パネル40に隣接して貫通開口部78を有するので、引出し部材14がその開位置にあるときに、人の指を開口部78から挿入して、用紙などの物体を底壁76から持ち上げることができる。あるいは、取外し式仕切り（図示しない）を引出し部材14に使用するように提供することができる。
本発明について、記載したスタンド形成部材各々の一実施例を参照して説明してきた。当業者には、本発明の範囲を逸脱することなくこれらの実施例に多くの変更を加えることができることが分かるであろう。したがって、本発明の範囲は、本明細書に記載された構造に限定するのではなく、請求の範囲の文言により記述される構造およびこれと等価なものによってのみ制限されるべきである。
【図１】
0003867133.tif 000002
【図２】
0003867133.tif 000003
【図３】
0003867133.tif 000004
【図４】
0003867133.tif 000005
【図５】
0003867133.tif 000006
【図６】
0003867133.tif 000007
【図７】
0003867133.tif 000008
【図８】
0003867133.tif 000009
【図９】
0003867133.tif 000010
【図１０】
0003867133.tif 000011